(57)【要約】【課題】体圧を極力分散させ、無発力の材料で身体を受け、床ズレの発症を防止する。【解決手段】少なくとも一面を防水性のシート２によって形成した収納袋１の中に、ゲル状材料７を内部に充填した圧力分散部材５を収納する。ゲル状材料７は、自在に変形可能であって、低反発である。ゲル状材料としては、高分子の含水ゲルが好適である。したがって、体圧を極力分散し、床ズレを発症させない。圧力分散部材５の内部は複数に分割して、それぞれにゲル状材料７を充填してもよい。【選択図】図１
0003126974.tif 000002
【実用新案登録請求の範囲】
【請求項１】
ベッドや布団の上に敷き、傷病患者や高齢者の横たわった身体を受けるマットであって、布地や合成樹脂製シート状材料などによって形成した収納袋の中に、ゲル状材料を内部に充填した自在に変形可能であって低反発な枕状の圧力分散部材を収納してなる体圧分散マット。
【請求項２】
収納袋の少なくとも一面が、防水性のシートによって形成してあることを特徴とする請求項１記載の体圧分散マット。
【請求項３】
防水性シートとして、合成樹脂や合成ゴムを裏面に裏打ちして防水性を得た織布から成るシートを採用したことを特徴とする請求項３記載の体圧分散マット。
【請求項４】
収納袋の少なくとも一面が、タオル地状布によって形成してあることを特徴とする請求項１記載の体圧分散マット。
【請求項５】
ゲル状材料として、含水率が８０重量％以下の水溶性高分子を用いた含水ゲルを採用したことを特徴とする請求項１記載の体圧分散マット。
【請求項６】
圧力分散部材は、内部が複数に分割されており、それぞれにゲル状材料を充填したことを特徴とする請求項１記載の体圧分散マット。
【請求項７】
収納袋の開口は、開閉自在としてなる請求項１記載の体圧分散マット。
【考案の詳細な説明】
【技術分野】
【０００１】
この考案は、ベッドや床の上に敷き、その上に寝る傷病患者や高齢者などの身体を支えるマットに関するものであり、特に、その身体の圧力を分散させ、床ズレの防止や、腰痛などの時に身体をサポートする体圧分散マットに関するものである。
【背景技術】
【０００２】
長期間に渡る病気や怪我でベッドの上や床の上で療養する患者や、寝たきりの高齢者などが苦しむものとして、褥そう（じょくそう）、いわゆる床ズレがある。床ズレは、長時間に渡って体重が身体の限られた部分に集中し、布団やマットレスと長く圧接し、擦れ合うことによって、その部分の血流が滞り、発症するものである。
【０００３】
そのために、身体の圧力が集中して限られた場所にかからないようにするために、患者自身で寝返りを打ったり、介護者に介護してもらいながら、身体の姿勢を直すなどの作業が必要である。
【０００４】
しかしながら、患者の中には自分自身で身体の姿勢を直すことができない者もおり、また、意識的な障害によって、自分では床ズレによる身体の痛みを自覚できないものもいて、床ズレの発症を発見することすら困難な患者も存在する。
【０００５】
このために、特開２００３−３３９４８２号公報に記載された発明のように、出来る限り圧力を集中させない材料として、ウレタンフォームやニットなどを使用したマットが開発されている。ウレタンフォームやニットなどの軟質の素材によって、出来る限り身体の重みを柔らかく受けとめ、体圧を分散させようとするものである。
【０００６】
しかしながら、ウレタンフォームやニットなどの極めて柔らかい素材であっても、それらはまだ形状を元に復帰させようとする若干の弾性、つまりは身体を押し返そうとする反発力を有している。その反発力が身体にとっては圧力となって作用して、血流へ影響を及ぼすものである。その反発力が若干でもある限り、身体の圧力を完全に分散させているとは言えず、その僅かな反発力であっても、患者の身体に床ズレを発症させてしまう原因となっていた。
【特許文献１】特開２００３−３３９４８２号公報
【特許文献２】特開平１１−２０６８２号公報
【考案の開示】
【考案が解決しようとする課題】
【０００７】
解決しようとする問題点は、マットの素材が持つ極く僅かの反発力によって、身体の圧力が完全には分散されずにいることである。
【課題を解決するための手段】
【０００８】
本考案は、マットの素材としてゲル状素材を採用し、ゲル状素材が変形可能であって、かつ元の形状に復帰しないようにすることを最も主要な特徴とする。
【考案の効果】
【０００９】
体重を受けとめるマットの素材としてゲル状材料を採用したため、体重、つまりは身体の圧力が作用すると、ゲル状材料は自在に変形し、また元に復帰しようとする反発力が一切発生しないため、身体の形状に合わせてマットが変形し、身体の圧力が分散されることになる。
【００１０】
袋状の防水シートの中にゲル状材料を詰めた圧力分散部材を収納するため、患者の尿モレなどがあっても、その下へしみ込ませることなく、尿モレ防止マットとしても使用できる。
【００１１】
袋状シートは、その開口が開閉自在となっており、収納した圧力分散部材を取出すことが可能で、袋状シートだけにして洗濯することも可能である。
【考案を実施するための最良の形態】
【００１２】
この考案にかかる体圧分散マットは、布地や合成樹脂製シートによって形成した収納袋の中に、圧力分散部材を収納するものである。布地としては、タオル地やパイル地などの汗を吸収しやすい材質のものが好適である。汗吸収の良好な材質は、汗疹（あせも）の発症を防ぐのに好適である。その他シートとしては、防水性のシートも採用でき、塩化ビニールなどの合成樹脂製のシートのほか、合成繊維を織った織布の裏面に、合成ゴムや合成樹脂シートを貼付するか、熱溶着させて裏打ちさせたようなシートも採用できる。表面が織布であることによって、肌触りなどの感触も良好となる。この収納袋の開口部には、マジックテープ（登録商標）などの植毛接着テープやジッパーなどを取付け、開閉自在としておくことが望ましい。
【００１３】
圧力分散部材は、塩化ビニールやポリエチレンなどの合成樹脂製の袋の中に、ゲル状材料を充填したものである。ゲル状材料としては、含水率を９０重量％以下、好ましくは８０重量％以下の含水ゲルなどを採用できるもので、ゼラチン、ポリビニールアルコール、ポリエチレンオキサイド等、様々なゲル状材料が採用可能であるが、性状が安定している水溶性高分子を用いた含水ゲルが好適である。
【００１４】
圧力分散部材は、ゲル状材料を合成樹脂製の袋に充満するのであるが、袋の中が一体であるものも採用可能であり、或いは袋の内部が複数に分割されており、その分割された中に、それぞれゲル状材料を充満させてもよい。
【００１５】
体圧分散マットの大きさは、使用する状態に合わせて様々な大きさが採用できるが、腰の部分みを受ける１００ｃｍ×１５０ｃｍ程度のものから、身体全体を受ける一辺が２００ｃｍを超える大きさのものまで、任意に選択できる。
【実施例１】
【００１６】
以下、図に示す実施例に基づき、この考案を詳細に説明する。図において１は収納袋であって、少なくとも一面が防水性を有するシート２によって形成されている。実施例では、防水シート２として裏面に合成樹脂製シートを熱溶着した織布を採用している。この防水シート２の裏面側にもう一枚シート３を接着するか縫合して、袋状としてある。収納袋１の開口には、植毛接着テープ４・４が接着され、開閉自在となっている。
【００１７】
図において５は枕状の圧力分散部材であって、合成樹脂製の袋６の中にゲル状材料７が充填してある。ゲル状材料７としては、高分子のポリビニールアルコールが採用されている。圧力分散部材５の厚みは、１〜２ｃｍ程度が好ましい。この圧力分散部材５が、収納袋１の中に収納されて、体圧分散マットＡが構成されている。
【００１８】
図４及び図５に示すのは、体圧分散マットＡの使用状態を示すものであって、体圧分散マットＡは、縦が１００ｃｍで横が１５０ｃｍである。この体圧分散マットＡを腰部の下辺りに敷き、その上に患者を横たわらせる。体圧が大きくかかる部分は、ゲル状材料７が大きく変形してその部分がへこみ、その周辺部分を支え、体圧が分散される。しかもゲル状材料は袋の中で移動するだけで、元の状態へ復帰しようとする反発力を一切発生させないため、身体を柔軟に受けとめることができる。つまりは、体圧分散マットＡは身体の形状に合わせて変形して、極力体圧を分散可能となり、床ズレの発生を防止する。
【実施例２】
【００１９】
図６及び図７に示すのは、圧力分散部材５の内部を複数に分割し、収納空間を複数個並列させた例である。身体の圧力が加わると、圧力分散部材５の中のゲル状材料７は移動するが、ひとつの収納空間であると、ゲル状材料７が、圧力が作用しなかった部分へ全て移動して、身体がその下のベッドから圧力を受けることもある。これを防ぐために、ゲル状材料７の移動を制限するために、内部空間を分割したものである。
【実施例３】
【００２０】
図８及び図９に示すのは、圧力分散部材５の内部を複数に分割し、尚且つ、隣り合う収納空間との間の境界を、波形に屈曲させた例である。このようにすると、内部のゲル材料７が圧力のかかった側から押しのけられ難く、一方側に偏るのを防ぎ、体圧をより分散して受け止めることができる。圧力分散部材５の大きさは、縦が５５ｃｍで、横が８０ｃｍである。厚みは１．２ｃｍとしてある。
【実施例４】
【００２１】
図１０に示すのは、圧力分散部材５の袋の内部を縦横複数個に分割した場合である。
【図面の簡単な説明】
【００２２】
【図１】体圧分散マットの裏面側から見た斜視図である。
【図２】圧力分散部材の断面図である。
【図３】圧力分散部材の一実施例の斜視図である。
【図４】体圧分散マットの使用状態の斜視図である。
【図５】体圧分散マットの使用状態の側面図である。
【図６】圧力分散部材の他の実施例の斜視図である。
【図７】図６に示す圧力分散部材の一部断面図である。
【図８】圧力分散部材の他の実施例の平面図である。
【図９】図８に示す圧力分散部材の斜視図である。
【図１０】圧力分散部材の他の実施例の斜視図である。
【符号の説明】
【００２３】
Ａ  体圧分散マット
１  収納袋
２  防水シート
３  シート
４  植毛接着テープ
５  圧力分散部材
６  袋
７  ゲル状材料
【図１】
0003126974.tif 000003
【図２】
0003126974.tif 000004
【図３】
0003126974.tif 000005
【図４】
0003126974.tif 000006
【図５】
0003126974.tif 000007
【図６】
0003126974.tif 000008
【図７】
0003126974.tif 000009
【図８】
0003126974.tif 000010
【図９】
0003126974.tif 000011
【図１０】
0003126974.tif 000012
【手続補正書】
【提出日】平成18年9月12日(2006.9.12)
【手続補正１】
【補正対象書類名】実用新案登録請求の範囲
【補正対象項目名】全文
【補正方法】変更
【補正の内容】
【実用新案登録請求の範囲】
【請求項１】
ベッドや布団の上に敷き、傷病患者や高齢者の横たわった身体を受けるマットであって、布地や合成樹脂製シート状材料などによって形成した収納袋の中に、ゲル状材料を内部に充填した自在に変形可能であって低反発な枕状の圧力分散部材を収納してなる体圧分散マット。
【請求項２】
収納袋の少なくとも一面が、防水性のシートによって形成してあることを特徴とする請求項１記載の体圧分散マット。
【請求項３】
防水性シートとして、合成樹脂や合成ゴムを裏面に裏打ちして防水性を得た織布から成るシートを採用したことを特徴とする請求項１記載の体圧分散マット。
【請求項４】
収納袋の少なくとも一面が、タオル地状布によって形成してあることを特徴とする請求項１記載の体圧分散マット。
【請求項５】
ゲル状材料として、含水率が８０重量％以下の水溶性高分子を用いた含水ゲルを採用したことを特徴とする請求項１記載の体圧分散マット。
【請求項６】
圧力分散部材は、内部が複数に分割されており、それぞれにゲル状材料を充填したことを特徴とする請求項１記載の体圧分散マット。
【請求項７】
収納袋の開口は、開閉自在としてなる請求項１記載の体圧分散マット。